(57)【要約】      （修正有）【課題】反射材を備えた衣服において、外的刺激により反射材の機能が劣化するのを防止できるようにした衣服を提供する。【解決手段】衣服の筒状部を構成する、第１の筒状部２、第２の筒状部３、及び第１の筒状部２と第２の筒状部３とをつなぐ筒状布４を備え、筒状布４の一端は第１の筒状部２の端辺２ａより内側において第１の筒状部２の裏側に接合し、他端は第２の筒状部３の端辺３ａより内側において第２の筒状部３の裏側に接合する。再帰性反射材は、一又は複数の可撓性を有する帯状の反射材であり、一方の長辺部を第１の筒状部２の端部の裏側と筒状布４の表側との間に入れ込み、他方の長辺部を第２の筒状部３の端部の裏側と筒状布４の表側との間に入れ込んで、取り外し可能に装着することができる。【選択図】図２
0003194538.tif 000002
【実用新案登録請求の範囲】
【請求項１】
表に露出させた状態と、表に露出させない状態とにすることのできる反射材を備えたことを特徴とする衣服。
【請求項２】
該衣服の筒状部を構成する、第１の筒状部、第２の筒状部、及び前記第１の筒状部と前記第２の筒状部とをつなぐ筒状布を備え、
前記筒状布の一端は前記第１の筒状部の端辺より内側において前記第１の筒状部の裏側に接合し、他端は前記第２の筒状部の端辺より内側において前記第２の筒状部の裏側に接合し、
前記反射材は、一又は複数の可撓性を有する帯状の反射材であり、
前記帯状の反射材の一方の長辺部を前記第１の筒状部の端部の裏側と前記筒状布の表側との間に入れ込み、他方の長辺部を前記第２の筒状部の端部の裏側と前記筒状布の表側との間に入れ込んで、取り外し可能に装着する構成としたことを特徴とする請求項１に記載の衣服。
【請求項３】
前記帯状の反射材の一方の長辺部の表側と、前記第１の筒状部の端部の裏側とを脱着可能に係合する係合手段と、
前記帯状の反射材の他方の長辺部の表側と、前記第２の筒状部の端部の裏側とを脱着可能に係合する係合手段とを備えたことを特徴とする請求項２に記載の衣服。
【請求項４】
前記筒状布は伸縮性を有するメッシュ素材からなることを特徴とする請求項２又は３に記載の衣服。
【請求項５】
該衣服に設けられたポケットと、
前記ポケットに出し入れ可能に設けられたフラップとを備え、
前記反射材が前記フラップの表側に設けられることを特徴とする請求項１に記載の衣服。
【請求項６】
該衣服の表側と、前記フラップの裏側とを脱着可能に係合する係合手段を備えたことを特徴とする請求項５に記載の衣服。
【考案の詳細な説明】
【技術分野】
【０００１】
本考案は、反射材を備えた衣服に関する。
【背景技術】
【０００２】
夜間や暗所での作業員や歩行者等の存在を示すために、視認性を上げるべく反射材を接着や縫合した衣服が実用化されている（例えば特許文献１を参照のこと）。
【先行技術文献】
【特許文献】
【０００３】
【特許文献１】実用新案登録第３１４９２６１号公報
【考案の概要】
【考案が解決しようとする課題】
【０００４】
従来は、衣服の表面に反射材を接着や縫合しているため、反射材が摩擦や紫外線等の外的刺激を常に受けることになり、反射材の機能が劣化しやすい。例えば摩擦劣化や洗剤（塩素等）による劣化の要因である洗濯機への投入、摩擦劣化や熱劣化の要因である乾燥機への投入、摩擦劣化、熱劣化及びカビ発生の要因である高温プレスの影響等を受けて、反射材の機能が著しく劣化してしまうことがある。その上、ほとんどの場合、衣服の生地の耐久性に比べて反射材の耐久性は劣るため、衣服そのものは十分な着用性能がありながら、反射材の劣化により製品価値が落ちてしまうということがあった。
【０００５】
本考案は上記のような点に鑑みてなされたものであり、外的刺激により反射材の機能が劣化するのを防止できるようにすることを目的とする。
【課題を解決するための手段】
【０００６】
本考案の衣服は、表に露出させた状態と、表に露出させない状態とにすることのできる反射材を備えたことを特徴とする。
また、本考案の衣服の他の特徴とするところは、該衣服の筒状部を構成する、第１の筒状部、第２の筒状部、及び前記第１の筒状部と前記第２の筒状部とをつなぐ筒状布を備え、前記筒状布の一端は前記第１の筒状部の端辺より内側において前記第１の筒状部の裏側に接合し、他端は前記第２の筒状部の端辺より内側において前記第２の筒状部の裏側に接合し、前記反射材は、一又は複数の可撓性を有する帯状の反射材であり、前記帯状の反射材の一方の長辺部を前記第１の筒状部の端部の裏側と前記筒状布の表側との間に入れ込み、他方の長辺部を前記第２の筒状部の端部の裏側と前記筒状布の表側との間に入れ込んで、取り外し可能に装着する構成とした点にある。この場合に、前記帯状の反射材の一方の長辺部の表側と、前記第１の筒状部の端部の裏側とを脱着可能に係合する係合手段と、前記帯状の反射材の他方の長辺部の表側と、前記第２の筒状部の端部の裏側とを脱着可能に係合する係合手段とを備えるようにしてもよい。また、前記筒状布は伸縮性を有するメッシュ素材からなるようにしてもよい。
また、本考案の衣服の他の特徴とするところは、該衣服に設けられたポケットと、前記ポケットに出し入れ可能に設けられたフラップとを備え、前記反射材が前記フラップの表側に設けられる点にある。この場合に、該衣服の表側と、前記フラップの裏側とを脱着可能に係合する係合手段を備えるようにしてもよい。
【考案の効果】
【０００７】
本考案によれば、必要に応じて反射材を表に露出させた状態と、表に露出させない状態とにすることができるので、外的刺激により反射材の機能が劣化するのを防止することができる。
【図面の簡単な説明】
【０００８】
【図１】第１の実施形態に係る衣服の筒状部を示す図である。
【図２】第１の実施形態に係る衣服の筒状部の拡大図である。
【図３】第１の実施形態で使用する再帰性反射材を示す図である。
【図４】第１の実施形態に係る衣服の筒状部を示す図である。
【図５】第２の実施形態に係る衣服の一部を示す図である。
【図６】第２の実施形態に係る衣服の一部を示す図である。
【考案を実施するための形態】
【０００９】
以下、添付図面を参照して、本考案の好適な実施形態について説明する。
（第１の実施形態）
図１に、第１の実施形態に係る衣服の筒状部１を示す。筒状部１とは、例えばズボンの足を通す部分や腰回り、上着の袖や胴回り等の筒状を呈する部位であり、その適用範囲は限定されるものではない。
【００１０】
筒状部１は、第１の筒状部２と、第２の筒状部３と、第１の筒状部２と第２の筒状部３とをつなぐ筒状布４とにより構成される。
筒状布４の一端４ａは、第１の筒状部２の端辺２ａより内側において第１の筒状部２の裏側に接合（例えば接着や縫合）する。また、筒状布４の他端４ｂは、第２の筒状部３の端辺３ａより内側において第２の筒状部３の裏側に接合（例えば接着や縫合）する。筒状布４として例えば伸縮性を有するメッシュ素材を用いれば、身体の動きを妨げないようにするとともに通気性を確保して、快適性を得ることができる。
【００１１】
図２に示すように、第１の筒状部２の端部（詳細には、筒状布４との接合位置より端辺２ａ側の領域）の裏側には、樹脂性のスナップボタン（凸）５を並べたテープ状の布６が接着又は縫合されている。そして、筒状布４の端部（詳細には、第１の筒状部２の端部で隠れる部分）の表側には、スナップボタン（凸）５と対をなす樹脂性のスナップボタン（凹）７を並べたテープ状の布８が接着又は縫合されている。スナップボタン５、７を結合することにより、第１の筒状部２の端部がめくれるのを防ぐことができる。
同様に、第２の筒状部３の端部（詳細には、筒状布４との接合位置より端辺３ａ側の領域）の裏側には、樹脂性のスナップボタン（凸）５を並べたテープ状の布６が接着又は縫合されている。そして、筒状布４の端部（詳細には、第２の筒状部３の端部で隠れる部分）の表側には、スナップボタン（凸）５と対をなす樹脂製のスナップボタン（凹）７を並べたテープ状の布８が接着又は縫合されている。スナップボタン５、７を結合することにより、第２の筒状部３の端部がめくれるのを防ぐことができる。
【００１２】
図３に示すように、再帰性反射材９は、可撓性を有する帯状を呈する。再帰性反射材は、入射光を光源の方向にまっすぐ戻す再帰性反射を実現したものであり、ガラスビーズで光を屈折させるタイプやプリズムで光を屈折させるタイプがある。再帰性反射材９の幅Ｈは、第１の筒状部２への筒状布４の接合箇所と、第２の筒状部３への筒状布４の接合箇所との幅と同等或いはやや幅狭となっている。また、再帰性反射材９の長さＬは、筒状布４の外周長さの略半分となっている。
このようにした再帰性反射材９は、一方の長辺部９ａを第１の筒状部２の端部の裏側と筒状布４の表側との間に入れ込み、他方の長辺部９ｂを第２の筒状部３の端部の裏側と筒状布４の表側との間に入れ込んで、取り外し可能に装着することができる（図４を参照のこと）。
本実施形態では、２枚の再帰性反射材９を使うことにより、筒状布４の外周すべてを覆うことができる。もちろん、１枚の長い再帰性反射材を使うようにしてもよいし、３枚以上の再帰性反射材を使うようにしてもよい。
【００１３】
再帰性反射材９の一方の長辺部９ａの表側には、第１の筒状部２の裏側のスナップボタン（凸）５と対をなす樹脂性のスナップボタン（凹）１０を並べたテープ状の布１１が接着又は縫合されている。スナップボタン５、１０を結合することにより、再帰性反射材９を抜け落ちないように保持することができる。
同様に、再帰性反射材９の他方の長辺部９ｂの表側には、第２の筒状部３の裏側のスナップボタン（凸）５と対をなす樹脂性のスナップボタン（凹）１０を並べたテープ状の布１１が接着又は縫合されている。スナップボタン５、１０を結合することにより、再帰性反射材９を抜け落ちないように保持することができる。
【００１４】
以上のように、例えば夜間や暗所で作業したり、歩行したりするときには、図４に示すように、筒状部１に再帰性反射材９を装着して、表に露出させた状態とすることができる。この場合に、再帰性反射材９は衣服の表面、すなわち第１の筒状部２及び第２の筒状部３の表面に対して一段奥まったかたちで配置されることになる。これにより、衣服の表面に反射材を接着や縫合するのに比べて、再帰性反射材９が外的刺激を受けにくく、反射材の機能が劣化しにくい。
【００１５】
そして、例えば昼間や明所で作業したり、歩行したりするときや、洗濯するときには、図１に示すように、再帰性反射材９を取り外して、表に露出させない状態とすることができる。これにより、外的刺激により反射材の機能が劣化するのを防止することができる。
また、汚れや局部的な摩擦等により再帰性反射材９に劣化が生じた場合、他の新しい再帰性反射材９に交換することもできる。
【００１６】
（第２の実施形態）
図５、図６に、第２の実施形態に係る衣服の一部を示す。
衣服２１の適所には、ポケット２２と、ポケット２２に出し入れ可能なフラップ２３とが設けられている。そして、フラップ２３の表側に、可撓性を有する再帰性反射材２４が接着又は縫合されている。
【００１７】
衣服２１の表側には、樹脂性のスナップボタン（凸）２５を並べたテープ状の布２６が接着又は縫合されている。また、図示は省略するが、フラップ２３の裏側には、スナップボタン（凸）２５と対をなす樹脂性のスナップボタン（凹）を並べたテープ状の布が接着又は縫合されている。スナップボタンを結合することにより、ポケット２２から出したフラップ２３がめくれるのを防ぐことができる。
【００１８】
以上のように、例えば夜間や暗所で作業したり、歩行したりするときには、図６に示すように、フラップ２３をポケット２２から出して、再帰性反射材２４を表に露出させた状態とすることができる。
【００１９】
そして、例えば昼間や明所で作業したり、歩行したりするときや、洗濯するときには、図５に示すように、フラップ２３をポケット２２に収容することにより、再帰性反射材２４を表に露出させない状態とすることができる。これにより、外的刺激により反射材の機能が劣化するのを防止することができる。
【００２０】
なお、衣服２１におけるポケット２２及びフラップ２３を配置や、ポケット２２及びフラップ２３のサイズ等は限定されるものではない。例えばポケット２２及びフラップ２３は衣服２１の平面的な箇所に設けるだけでなく、筒状部に沿うように設けられてもかまわない。
また、フラップ２３をポケット２２に収容した状態で、ポケット２２の開口２２ａをファスナ等で閉じられる構成としてもかまわない。
【００２１】
以上、本考案を実施形態とともに説明したが、本考案はこれらの実施形態にのみ限定されるものではなく、本考案の範囲内で変更等が可能である。
例えば上記実施形態では係合手段としてスナップボタンを用いたが、面ファスナ等を用いてもかまわない。
【符号の説明】
【００２２】
１：筒状部、２：第１の筒状部、２ａ：端辺、３：第２の筒状部、３ａ：端辺、４：筒状布、４ａ：一端、４ｂ：他端、５、７、１０、２５：スナップボタン、６、８、１１、２６：テープ状の布、９、２４：再帰性反射材、９ａ、９ｂ：長辺部、２１：衣服、２２：ポケット、２３：フラップ
【図１】
0003194538.tif 000003
【図２】
0003194538.tif 000004
【図３】
0003194538.tif 000005
【図４】
0003194538.tif 000006
【図５】
0003194538.tif 000007
【図６】
0003194538.tif 000008